(57)【要約】【課題】履歴情報を見易く表示し、かつ表示された履歴情報が容易に複製されて二次データベースが作成されてしまうことを防止する。【解決手段】商品履歴情報提供サーバ１０が、商品に付されている個体識別番号を提示した消費者端末２０からの履歴情報取得依頼に応じて、その個体識別番号を用いて商品履歴情報を検索し、検索した商品履歴情報の一部を文字データとして表示する文字データ表示領域と、その商品履歴情報の他の一部をイメージデータとして表示するイメージデータ表示領域とが設けられた商品履歴情報閲覧画面を生成し、生成した商品履歴情報閲覧画面を消費者端末２０に提供する。【選択図】図３
2010198390.tif 000002
【特許請求の範囲】
【請求項１】
消費者によって使用される消費者端末と、前記消費者端末からの依頼に応じて商品の履歴情報を示す商品履歴情報を提供する商品履歴情報提供サーバとを備えた商品履歴情報提供システムであって、
前記商品履歴情報提供サーバは、
商品に付されている履歴情報検索コードを提示した前記消費者端末からの履歴情報取得依頼に応じて、当該履歴情報検索コードを用いて商品履歴情報を検索する履歴情報検索手段と、
検索した商品履歴情報の一部を文字データとして表示する文字データ表示領域と、当該商品履歴情報の他の一部をイメージデータとして表示するイメージデータ表示領域とが設けられた商品履歴情報閲覧画面を生成する画面生成手段と、
生成した商品履歴情報閲覧画面を前記消費者端末に提供する商品履歴情報提供手段とを含む
ことを特徴とする商品履歴情報提供システム。
【請求項２】
前記商品履歴情報提供サーバは、商品履歴情報を記憶する商品履歴情報記憶手段を含み、
前記履歴情報検索手段は、前記商品履歴情報記憶手段に記憶されている商品履歴情報を検索する
請求項１記載の商品履歴情報提供システム。
【請求項３】
商品履歴情報は、商品を一意に特定するための個体識別情報と、商品の生産日と、商品の生産者と、商品の生産地と、商品の主な飼育地域とを含む
請求項１または請求項２記載の商品履歴情報提供システム。
【請求項４】
前記画面生成手段は、検索した商品履歴情報のうち個体識別情報を文字データとして表示する文字データ表示領域と、当該商品履歴情報のうち個体識別情報以外をイメージデータとして表示するイメージデータ表示領域とが設けられた商品履歴情報閲覧画面を生成する
請求項３記載の商品履歴情報提供システム。
【請求項５】
前記商品履歴情報提供サーバは、商品履歴情報の他の一部を示す文字データを用いて当該文字データが示す文字が描画されるイメージデータを生成するイメージデータ生成手段を含み、
前記画面生成手段は、前記イメージデータ生成手段によって生成されたイメージデータを表示するイメージデータ表示領域が設けられた商品履歴情報閲覧画面を生成する
請求項１から請求項４のうちいずれかに記載の商品履歴情報提供システム。
【請求項６】
消費者端末からの依頼に応じて商品の履歴情報を示す商品履歴情報を提供する商品履歴情報提供サーバであって、
商品に付されている履歴情報検索コードを提示した前記消費者端末からの履歴情報取得依頼に応じて、当該履歴情報検索コードを用いて商品履歴情報を検索する履歴情報検索手段と、
検索した商品履歴情報の一部を文字データとして表示する文字データ表示領域と、当該商品履歴情報の他の一部をイメージデータとして表示するイメージデータ表示領域とが設けられた商品履歴情報閲覧画面を生成する画面生成手段と、
生成した商品履歴情報閲覧画面を前記消費者端末に提供する商品履歴情報提供手段とを含む
ことを特徴とする商品履歴情報提供サーバ。
【請求項７】
商品履歴情報を記憶する商品履歴情報記憶手段を含み、
前記履歴情報検索手段は、前記商品履歴情報記憶手段に記憶されている商品履歴情報を検索する
請求項６記載の商品履歴情報提供サーバ。
【請求項８】
商品履歴情報は、商品を一意に特定するための個体識別情報と、商品の生産日と、商品の生産者と、商品の生産地と、商品の主な飼育地域とを含む
請求項６または請求項７記載の商品履歴情報提供サーバ。
【請求項９】
前記画面生成手段は、検索した商品履歴情報のうち個体識別情報を文字データとして表示する文字データ表示領域と、当該商品履歴情報のうち個体識別情報以外をイメージデータとして表示するイメージデータ表示領域とが設けられた商品履歴情報閲覧画面を生成する
請求項８記載の商品履歴情報提供サーバ。
【請求項１０】
商品履歴情報の他の一部を示す文字データを用いて当該文字データが示す文字が描画されるイメージデータを生成するイメージデータ生成手段を含み、
前記画面生成手段は、前記イメージデータ生成手段によって生成されたイメージデータを表示するイメージデータ表示領域が設けられた商品履歴情報閲覧画面を生成する
請求項６から請求項９のうちいずれかに記載の商品履歴情報提供サーバ。
【請求項１１】
消費者端末からの依頼に応じて商品の履歴情報を示す商品履歴情報を提供させる商品履歴情報提供プログラムであって、
コンピュータに、
商品に付されている履歴情報検索コードを提示した前記消費者端末からの履歴情報取得依頼に応じて、当該履歴情報検索コードを用いて商品履歴情報を検索する履歴情報検索処理と、
検索した商品履歴情報の一部を文字データとして表示する文字データ表示領域と、当該商品履歴情報の他の一部をイメージデータとして表示するイメージデータ表示領域とが設けられた商品履歴情報閲覧画面を生成する画面生成処理と、
生成した商品履歴情報閲覧画面を前記消費者端末に提供する商品履歴情報提供処理とを
実行させるための商品履歴情報提供プログラム。
【請求項１２】
前記履歴情報検索処理では、商品履歴情報を記憶する商品履歴情報記憶手段に記憶されている商品履歴情報を検索する処理を
実行させるための請求項１１記載の商品履歴情報提供プログラム。
【請求項１３】
商品履歴情報は、商品を一意に特定するための個体識別情報と、商品の生産日と、商品の生産者と、商品の生産地と、商品の主な飼育地域とを含む
請求項１１または請求項１２記載の商品履歴情報提供プログラム。
【請求項１４】
前記画面生成処理では、検索した商品履歴情報のうち個体識別情報を文字データとして表示する文字データ表示領域と、当該商品履歴情報のうち個体識別情報以外をイメージデータとして表示するイメージデータ表示領域とが設けられた商品履歴情報閲覧画面を生成する処理を
実行させるための請求項１３記載の商品履歴情報提供プログラム。
【請求項１５】
コンピュータに、
さらに、商品履歴情報の他の一部を示す文字データを用いて当該文字データが示す文字が描画されるイメージデータを生成するイメージデータ生成処理を実行させ、
前記画面生成処理では、前記イメージデータ生成処理にて生成したイメージデータを表示するイメージデータ表示領域が設けられた商品履歴情報閲覧画面を生成する処理を
実行させるための請求項１１から請求項１４のうちいずれかに記載の商品履歴情報提供プログラム。
【発明の詳細な説明】
【技術分野】
【０００１】
本発明は、消費者端末からの依頼に応じて商品の履歴情報を示す商品履歴情報を提供するための商品履歴情報提供システム、商品履歴情報提供サーバ、及び商品履歴情報提供プログラムに関する。
【背景技術】
【０００２】
従来から、特定の野菜や食肉を購入した消費者等に対して、その野菜や食肉の生産・流通履歴をインターネットなどの通信ネットワークを介して提供するトレーサビリティシステムが利用されている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【先行技術文献】
【特許文献】
【０００４】
【特許文献１】特開２００５−３１８７５号公報
【発明の概要】
【発明が解決しようとする課題】
【０００５】
従来のトレーサビリティシステムにおいて、ユーザから指定されたトレーサビリティコードに対応する商品の履歴情報を一覧表示することとした場合には、全体として見易いものとはなるが、表示されているＨＴＭＬ（Hyper Text Markup Language）データにおける文字データを抽出して二次データベースを簡単に作成されてしまうおそれがあるという問題があった。
【０００６】
本発明は、上述した問題を解消し、履歴情報を見易く表示することができ、かつ表示された履歴情報が容易に複製されて二次データベースが作成されてしまうことを防止することができるようにすることを目的とする。
【課題を解決するための手段】
【０００７】
本発明の商品履歴情報提供システムは、消費者によって使用される消費者端末と、前記消費者端末からの依頼に応じて商品の履歴情報を示す商品履歴情報を提供する商品履歴情報提供サーバとを備えた商品履歴情報提供システムであって、前記商品履歴情報提供サーバは、商品に付されている履歴情報検索コードを提示した前記消費者端末からの履歴情報取得依頼に応じて、当該履歴情報検索コードを用いて商品履歴情報を検索する履歴情報検索手段と、検索した商品履歴情報の一部を文字データとして表示する文字データ表示領域と、当該商品履歴情報の他の一部をイメージデータとして表示するイメージデータ表示領域とが設けられた商品履歴情報閲覧画面を生成する画面生成手段と、生成した商品履歴情報閲覧画面を前記消費者端末に提供する商品履歴情報提供手段とを含むことを特徴とする。
【０００８】
上記の構成としたことで、履歴情報を見易く表示することができ、かつ表示された履歴情報が容易に複製されて二次データベースが作成されてしまうことを防止することができるようになる。
【０００９】
前記商品履歴情報提供サーバは、商品履歴情報を記憶する商品履歴情報記憶手段を含み、前記履歴情報検索手段は、前記商品履歴情報記憶手段に記憶されている商品履歴情報を検索する構成とされていてもよい。
【００１０】
商品履歴情報は、商品を一意に特定するための個体識別情報と、商品の生産日と、商品の生産者と、商品の生産地と、商品の主な飼育地域とを含む構成とされていてもよい。
【００１１】
前記画面生成手段は、検索した商品履歴情報のうち個体識別情報を文字データとして表示する文字データ表示領域と、当該商品履歴情報のうち個体識別情報以外をイメージデータとして表示するイメージデータ表示領域とが設けられた商品履歴情報閲覧画面を生成する構成とされていてもよい。
【００１２】
前記商品履歴情報提供サーバは、商品履歴情報の他の一部を示す文字データを用いて当該文字データが示す文字が描画されるイメージデータを生成するイメージデータ生成手段を含み、前記画面生成手段は、前記イメージデータ生成手段によって生成されたイメージデータを表示するイメージデータ表示領域が設けられた商品履歴情報閲覧画面を生成する構成とされていてもよい。
【００１３】
また、本発明の商品履歴情報提供サーバは、消費者端末からの依頼に応じて商品の履歴情報を示す商品履歴情報を提供する商品履歴情報提供サーバであって、商品に付されている履歴情報検索コードを提示した前記消費者端末からの履歴情報取得依頼に応じて、当該履歴情報検索コードを用いて商品履歴情報を検索する履歴情報検索手段と、検索した商品履歴情報の一部を文字データとして表示する文字データ表示領域と、当該商品履歴情報の他の一部をイメージデータとして表示するイメージデータ表示領域とが設けられた商品履歴情報閲覧画面を生成する画面生成手段と、生成した商品履歴情報閲覧画面を前記消費者端末に提供する商品履歴情報提供手段とを含むことを特徴とする。
【００１４】
さらに、本発明の商品履歴情報提供プログラムは、消費者端末からの依頼に応じて商品の履歴情報を示す商品履歴情報を提供させる商品履歴情報提供プログラムであって、コンピュータに、商品に付されている履歴情報検索コードを提示した前記消費者端末からの履歴情報取得依頼に応じて、当該履歴情報検索コードを用いて商品履歴情報を検索する履歴情報検索処理と、検索した商品履歴情報の一部を文字データとして表示する文字データ表示領域と、当該商品履歴情報の他の一部をイメージデータとして表示するイメージデータ表示領域とが設けられた商品履歴情報閲覧画面を生成する画面生成処理と、生成した商品履歴情報閲覧画面を前記消費者端末に提供する商品履歴情報提供処理とを実行させるためのものである。
【発明の効果】
【００１５】
本発明によれば、履歴情報を見易く表示することができ、かつ表示された履歴情報が容易に複製されて二次データベースが作成されてしまうことを防止することができるようになる。
【図面の簡単な説明】
【００１６】
【図１】本発明の一実施の形態における商品履歴情報提供システムの構成の例を示すブロック図である。
【図２】商品履歴情報の例を示す説明図である。
【図３】商品履歴情報提供処理の例を示すフローチャートである。
【図４】コード入力画面の例を示す説明図である。
【図５】商品履歴情報閲覧画面の例を示す説明図である。
【発明を実施するための形態】
【００１７】
以下、本発明の一実施の形態について図面を参照して説明する。
図１は、本発明の一実施の形態における商品履歴情報提供システム１００の構成の例を示すブロック図である。図１に示すように、商品履歴情報提供システム１００は、商品履歴情報提供サーバ１０と、消費者端末２０とを含む。なお、消費者端末は、いくつ設けられていてもよい。商品履歴情報提供サーバ１０、および消費者端末２０は、それぞれ、例えばインターネットなどの通信ネットワーク３０に接続されている。
【００１８】
商品履歴情報提供サーバ１０は、ＷＷＷサーバなどの情報処理装置によって構成される。商品履歴情報提供サーバ１０は、例えば商品情報提供システム１００のシステム管理者によって管理される本部サーバであり、トレーサビリティシステムにおける履歴情報の提供処理などの各種の処理を実行する。
【００１９】
商品履歴情報提供サーバ１０は、各商品の履歴を示す商品履歴情報を格納する商品履歴情報ＤＢ１１を備えている。商品履歴情報は、商品の生産履歴や流通履歴を示す情報であって、例えば図２に示すように、個体識別情報（商品を一意に特定するための情報であり、例えば各商品に一意に付与される個体識別番号）と、商品の生産日・製造日（商品が畜産物である場合における出生又は輸入の年月日）、商品の生産者・製造者・販売元、商品の生産地・製造地、商品が畜産物や野菜などの場合における飼育地域（飼育地域が複数ある場合は、主な飼育地域あるいは全ての飼育地域）などの各種の情報を含む。なお、商品履歴情報ＤＢ１１は、商品履歴情報提供サーバ１０の内部にあっても外部にあってもよい。
【００２０】
消費者端末２０は、例えばパーソナルコンピュータや携帯情報端末などの情報処理装置によって構成され、通信ネットワーク３０に接続するためのソフトウェア及びハードウェアを含む環境を備えているものとする。
【００２１】
次に、本例の商品履歴情報提供システム１００の動作について説明する。
図３は、本例の商品履歴情報提供システム１００における商品履歴情報提供処理の例を示すフローチャートである。ここでは、消費者Ｘが、消費者端末２０を利用して複数の商品の履歴照会を行う場合を例に説明することとし、本発明に特に関わる処理以外は、説明を省略している場合があるものとする。
【００２２】
商品履歴情報提供処理において、先ず、消費者端末２０は、消費者Ｘの操作に応じて商品履歴情報提供サーバ１０にアクセスする（ステップＳ１０１）。ステップＳ１０１では、例えば、商品履歴情報提供サーバ１０の管理者が提供している商品履歴情報提供サイトのＵＲＬ（Uniform Resource Locator）によりアクセスされる。
【００２３】
消費者端末２０からのアクセスがあると、商品履歴情報提供サーバ１０は、商品に付与されているトレーサビリティコード（本例では個体識別番号）を入力するためのコード入力画面を生成し、消費者端末２０に送信する（ステップＳ１０２）。なお、本例では、トレーサビリティコードとして個体識別番号を用いることとしているが、商品を一意に特定可能な他の商品コードを用いることとしてもよい。
【００２４】
消費者端末２０は、商品履歴情報提供サーバ１０からのコード入力画面を、自己が備える表示装置に表示する（ステップＳ１０３）。コード入力画面には、例えば図４に示すように、トレーサビリティコードをそれぞれ入力するための複数のコード入力領域１０１、コード入力領域１０１に入力したトレーサビリティコードにより商品履歴情報の検索を行う際に押下される検索ボタン１０２などが設けられている。
【００２５】
コード入力画面が表示されると、消費者Ｘは、商品履歴情報の閲覧を希望する各商品に付されているそれぞれのトレーサビリティコードを、コード入力領域１０１に入力する。なお、トレーサビリティコードを１つだけ入力するようにしてもよい。
【００２６】
トレーサビリティコードが入力を受け付けたあと、消費者端末２０は、検索ボタン１０２の押下を受け付けると、消費者Ｘによって入力された各商品それぞれのトレーサビリティコードを商品履歴情報提供サーバ１０に送信する（ステップＳ１０４）。
【００２７】
トレーサビリティコードを受信すると、商品履歴情報提供サーバ１０は、商品履歴情報ＤＢ１１に格納されている商品履歴情報を参照し、受信したトレーサビリティコードそれぞれを用いて、各商品それぞれの商品履歴情報を検索する（ステップＳ１０５）。具体的には、商品履歴情報ＤＢ１１に格納されている商品履歴情報の中から、受信したトレーサビリティコード（個体識別番号）を含んでいる商品履歴情報を抽出する。
【００２８】
各商品それぞれの商品履歴情報を検索すると、商品履歴情報提供サーバ１０は、抽出した商品履歴情報の一部をイメージデータに変換する（ステップＳ１０６）。すなわち、商品履歴情報提供サーバ１０は、商品履歴情報の一部を示す文字データを用いて、その文字データが示す文字が描画されるイメージデータを生成する。本例では、商品履歴情報のうち、トレーサビリティコード以外の全ての情報をイメージデータに変換するものとする。なお、商品履歴情報におけるトレーサビリティコード以外の情報のうちの一部（例えば、飼育地域のみ）をイメージデータに変換するようにしてもよい。
【００２９】
次いで、商品履歴情報提供サーバ１０は、検索した商品履歴情報を閲覧させるための商品履歴情報閲覧画面を生成する（ステップＳ１０７）。本例では、商品履歴情報のうちイメージデータに変換していない情報（トレーサビリティコード）をＨＴＭＬにおける文字データとして表示する表示領域（図５における領域１０３ａ参照）と、商品履歴情報のうちイメージデータに変換した情報（トレーサビリティコード以外の情報）をイメージデータとして描画して表示する表示領域（図５における領域１０３ｂ参照）とが設けられ、同一商品についてのイメージデータに変換していない情報とイメージデータに変換した情報とが各商品についてそれぞれ隣接して表示される商品履歴情報閲覧画面を生成する。
【００３０】
商品履歴情報閲覧画面を生成すると、商品履歴情報提供サーバ１０は、生成した商品履歴情報閲覧画面を通信ネットワーク３０を介して消費者端末２０に送信する（ステップＳ１０８）。
【００３１】
消費者端末２０は、商品履歴情報提供サーバ１０からの商品履歴情報閲覧画面を、自己が備える表示装置に表示する（ステップＳ１０９）。商品履歴情報閲覧画面には、例えば図５に示すように、検索した商品履歴情報を表示する商品履歴情報表示領域１０３と、コード入力画面に戻る際に押下される戻るボタン１０４と、画面の表示を終了してここでの処理を完了させる際に押下される終了ボタン１０５が設けられている。本例では、商品履歴情報表示領域１０３は、図５に示すように、商品履歴情報のうちイメージデータに変換していない情報（トレーサビリティコード）をＨＴＭＬにおける文字データとして表示する文字データ表示領域１０３ａと、商品履歴情報のうちイメージデータに変換した情報（トレーサビリティコード以外の情報）をイメージデータとして描画して表示するイメージデータ表示領域１０３ｂとによって構成される。
【００３２】
商品履歴情報閲覧画面が表示されると、消費者Ｘは、商品履歴情報閲覧画面に表示されている商品履歴情報を閲覧し、続けて他の商品についての商品履歴情報の検索を行う場合には戻るボタン１０４を押下し、処理を終了する場合には終了ボタン１０５を押下する。
【００３３】
戻るボタン１０４が押下されると（ステップＳ１１０のＹ）、消費者端末２０は、ステップＳ１０３に戻って再びコード入力画面を表示する。終了ボタン１０５が押下されると（ステップＳ１１１のＮ）、消費者端末２０は、ここでの処理を終了し、商品履歴情報提供サーバ１０との接続を切断する。
【００３４】
以上に説明したように、上述した一実施の形態では、消費者端末２０からの依頼に応じて商品の履歴情報を示す商品履歴情報を提供する商品履歴情報提供サーバ１０が、商品に付されている履歴情報検索コード（例えば個体識別番号）を提示した消費者端末２０からの履歴情報取得依頼に応じて、その履歴情報検索コードを用いて商品履歴情報を検索し、検索した商品履歴情報の一部を文字データとして表示する文字データ表示領域１０３ａと、その商品履歴情報の他の一部をイメージデータとして表示するイメージデータ表示領域１０３ｂとが設けられた商品履歴情報閲覧画面を生成し、生成した商品履歴情報閲覧画面を消費者端末２０に提供する構成としたので、履歴情報を見易く表示することができ、かつ表示された履歴情報が容易に複製されて二次データベースが作成されてしまうことを防止することができるようになる。
【００３５】
すなわち、商品履歴情報の一部を文字データとして表示する文字データ表示領域１０３ａと、その商品履歴情報の他の一部をイメージデータとして表示するイメージデータ表示領域１０３ｂとが設けられた商品履歴情報閲覧画面を生成して消費者端末２０に提供する構成としたので、商品履歴情報の全てを文字データとして表示する場合と同様に履歴情報を見易く表示することができ、かつ、商品履歴情報の他の一部を文字データとして複製できないようにすることができるため、表示された履歴情報が容易に複製されて二次データベースが作成されてしまうことを防止することができるようになる。
【００３６】
また、上述した実施の形態では、商品履歴情報提供サーバ１０が、商品履歴情報を記憶する商品履歴情報ＤＢ１１を備え、商品履歴情報ＤＢ１１に記憶されている商品履歴情報を検索する構成としているので、商品履歴情報を容易に検索することが可能となる。
【００３７】
また、上述した実施の形態では、商品履歴情報として、商品を一意に特定するための個体識別情報と、商品の生産日と、商品の生産者と、商品の生産地と、商品の主な飼育地域とを含む構成としているので、これらの情報の一部をイメージデータとして文字データとしての複製を防止することが可能となる。
【００３８】
また、上述した実施の形態では、商品履歴情報提供サーバ１０が、検索した商品履歴情報のうち個体識別情報（個体識別番号）を文字データとして表示する文字データ表示領域１０３ａと、その商品履歴情報のうち個体識別情報以外をイメージデータとして表示するイメージデータ表示領域１０３ｂとが設けられた商品履歴情報閲覧画面を生成する構成とした場合には、個体識別情報以外の情報をイメージデータとして文字データとしての複製を防止することが可能となる。
【００３９】
また、上述した実施の形態では、商品履歴情報提供サーバ１０が、商品履歴情報の他の一部を示す文字データを用いてその文字データが示す文字が描画されるイメージデータを生成し、生成したイメージデータを表示するイメージデータ表示領域１０３ｂが設けられた商品履歴情報閲覧画面を生成する構成としているので、文字データとしての複製を防止するためのイメージデータを自動的に生成することが可能となる。
【００４０】
なお、上述した実施の形態では特に言及していないが、商品履歴情報提供サーバ１０は、自己が備える記憶媒体に格納されている処理プログラム（商品履歴情報提供プログラム）に従って、上述した各種の処理（図３参照）を実行する。
【産業上の利用可能性】
【００４１】
本発明によれば、商品履歴情報を提供するシステムにおいて、履歴情報を見易く表示することができ、かつ表示された履歴情報が容易に複製されて二次データベースが作成されてしまうことを防止するのに有用である。
【符号の説明】
【００４２】
１０        商品履歴情報提供サーバ
１１        商品履歴情報ＤＢ
２０        消費者端末
１００      商品履歴情報提供システム
【図１】
2010198390.tif 000003
【図２】
2010198390.tif 000004
【図３】
2010198390.tif 000005
【図４】
2010198390.tif 000006
【図５】
2010198390.tif 000007